(57)【特許請求の範囲】
【請求項１】
歯科用診療台と、その近傍に立設されたスピットンとを備えた歯科診療装置であって、上記スピットンの立設胴部に歯科診療用各種インスツルメントの管路洗浄用ユニットを出没自在に収納し、
上記管路洗浄用ユニットは、各種インスツルメントを先側から挿入保持するための複数の保持孔を有する天板部と、該天板部で覆われる洗浄タンクと、該洗浄タンクの排水を排出するため上記スピットンの排水管路に連結された排水管とよりなることを特徴とする管路洗浄機能付き歯科診療装置。
【請求項２】
請求項１において、
上記立設胴部には、上記管路洗浄用ユニットを収納するための開閉扉付の空洞部が形成され、該空洞部に上記管路洗浄用ユニットが引出し自在に収納されている管路洗浄機能付き歯科診療装置。
【請求項３】
請求項１において、
上記立設胴部には、上記管路洗浄用ユニットを収納するための開閉扉付の空洞部が形成され、該空洞部の内壁には多関節の折畳み可能なハンガーアームが固定され、このハンガーアームの先端に上記管路洗浄用ユニットが取付けられている管路洗浄機能付き歯科診療装置。
【請求項４】
請求項１において、
上記立設胴部には、上記管路洗浄用ユニットを収納するための開閉扉付の空洞部が形成され、該空洞部の開口部近傍内壁には少なくとも水平位置と垂直位置との間で回動可能とされた回動支持アームが固定され、この回動支持アームの先端に該アームと平行な軸心の周りに旋回可能に上記管路洗浄用ユニットが取付けられている管路洗浄機能付き歯科診療装置。
【請求項５】
請求項１において、
上記立設胴部には、上記管路洗浄用ユニットを収納するための開閉扉付の空洞部が形成され、該空洞部の内壁には水平摺動可能且つ該空洞部の開口部から出没可能な摺動支持アームを設け、該摺動支持アームの先端に水平旋回可能に上記管路洗浄用ユニットが取付けられている管路洗浄機能付き歯科診療装置。
【請求項６】
請求項１において、
上記立設胴部には、上記管路洗浄用ユニットを収納するための空洞部が形成され、該空洞部に上記管路洗浄用ユニットが使用位置と収納位置との間で水平旋回可能に設置され、該管路洗浄用ユニットを使用すべく旋回させた時には、上記天板部がインスツルメントを保持可能となるようスピットン胴部の外側に露出し、該管路洗浄用ユニットを収納すべく旋回させた時には、天板部および洗浄タンクが該胴部内に収納されると共に、該管路洗浄用ユニットの外壁部がスピットン立設胴部の外壁の一部となるように構成した管路洗浄機能付き歯科診療装置。
【請求項７】
請求項１において、
上記立設胴部には、上記管路洗浄用ユニットを収納するための空洞部が形成され、該空洞部に上記管路洗浄用ユニットが使用位置と収納位置との間で傾動可能に設置され、該管路洗浄用ユニットを使用すべく傾けた時には、上記天板部がインスツルメントを保持可能となるようスピットン立設胴部の外側に露出し、上記管路洗浄用ユニットを収納すべく起立状態にした時には、天板部および洗浄タンクが該胴部内に収納されると共に、該管路洗浄用ユニットの外壁部がスピットン立設胴部の外壁の一部となるように構成した管路洗浄機能付き歯科診療装置。
【請求項８】
請求項１ないし７のいずれかにおいて、
上記排水管がフレキシブルチューブからなる管路洗浄機能付き歯科診療装置。
【発明の詳細な説明】
【０００１】
【発明の属する技術分野】
本発明は、歯科診療装置に係り、特に歯科診療に使用される各種インスツルメントの作用媒体用供給管路を洗浄する機能を備えた歯科診療装置に関する。
【０００２】
【従来の技術】
歯科診療においては、口腔内に挿入されて歯牙の研削を行ったり、あるいは歯牙の洗浄を行い更には口腔内に溜まった処理液（唾液を含む）を吸引排出したりする為の各種インスツルメントが使用される。これらインスツルメントには、研削ドリルをエア駆動させるための給気管路、研削部を冷却或いは洗浄するための給水管路、気液混合管路或いは吸引管路等の管路が接続される。このような管路は、使用水の長期の滞留による菌の繁殖や、治療中のバックサクションによって患者からの感染菌により汚染されることがあるため、これら管路を定期的に洗浄する必要がある。
【０００３】
その為、従来からこれら管路に消毒液の供給管路を接続すると共に、診療台の近傍に配備される全てのインスツルメントを集約保持させる洗浄タンクを設け、消毒液或いは作用水を各インスツルメントの管路に供給して管路を洗浄し、この洗浄水を洗浄タンクから排出するようなシステムが採用されている。
【０００４】
このような洗浄システムの一例として、特公平３−８０４９８号公報で提案されたものがある。この例示のシステムでは、インスツルメントの洗浄時には洗浄タンクを診療台側部に設置されたうがい用スピットン上のベースンに載せ、各種インスツルメントをこの洗浄タンクに挿入保持させる。そして、各インスツルメントに消毒液や作用水をその管路を通じて供給して洗浄する。この廃液は洗浄タンクから上記ベースンを経てスピットンの排水管路に排出される。
【０００５】
【発明が解決しようとする課題】
しかしながら、上記のようなシステムでは、診療後、或いは診療前などに洗浄がなされるが、上記洗浄タンクおよびその関連備品は、常時は、診療室の適当な場所に保管されるものであり、その保管の為のスペースを確保する必要がある。また、洗浄作業時にはこの保管場所から洗浄タンク等を取り出し、スピットン上にセットしなければならず、その作業は大変煩わしくもあった。
【０００６】
本発明は上記のような実情に鑑みなされたものであり、管路洗浄用の備品等の保管場所を確保する必要がなく、またその準備作業の煩わしさもない新規な管路洗浄機能付き歯科診療装置を提供するものである。
【０００７】
【課題を解決するための手段】
上記課題を解決するために、請求項１記載の発明は、歯科用診療台と、その近傍に立設されたスピットンとを備えた歯科診療装置であって、上記スピットンの立設胴部に歯科治療用各種インスルメントの管路洗浄用ユニットを出没自在に収納し、上記管路洗浄用ユニットは、各種インスツルメントを先側から挿入保持するための複数の保持孔を有する天板部と、該天板部で覆われる洗浄タンクと、該洗浄タンクの排水を排出するため上記スピットンの排水管路に連結された排水管とよりなることを特徴とする管路洗浄機能付き歯科診療装置にある。この構成によれば、上記スピットンの立設胴部から管路洗浄用ユニットを取り出し、これに各インスツルメントを保持させるだけの簡単な準備作業で、インスツルメントの管路洗浄作業を実施することができる。また、管路洗浄用ユニットを保管するためのスペースを別途確保する必要もない。
【０００８】
また、各種インスツルメントは天板部の保持孔に挿入保持されるから、その先側部は洗浄タンク内に臨むことになる。従って、洗浄時の薬液や作用水は、この洗浄タンクに放出される。しかも、洗浄タンクには排水管が取付けられ、この排水管はスピットンの排水管路に連結されているから、上記放出液は逐次装置外に排出される。
【０００９】
請求項２の発明は、上記立設胴部に、上記管路洗浄用ユニットを収納するための開閉扉付の空洞部が形成され、該空洞部に上記管路洗浄用ユニットが引出し自在に収納されていることを特徴とする。この構成によれば、開閉扉を開き、空洞部に収納されている管路洗浄用ユニットを引出し、その天板部の保持孔にインスツルメントを挿入保持させれば、上記と同様にインスツルメントの管路洗浄作業を実施することができる。
【００１０】
請求項３の発明は、上記と同様の空洞部の内壁に多関節の折畳み可能なハンガーアームが固定され、このハンガーアームの先端に上記管路洗浄用ユニットが取付けられていることを特徴とする。この構成によれば、管路洗浄用ユニットの収納状態では、ハンガーアームは折畳まれている。管路洗浄用ユニットを取出す場合は、開閉扉を開き、ハンガーアームを引き伸ばし、また適宜水平旋回させて、管路洗浄用ユニットを各種インスツルメントが届く範囲に位置させる。そして、上記同様その天板部の保持孔にインスツルメントを挿入保持させれば、上記と同様にインスツルメントの管路洗浄作業を実施することができる。
【００１１】
請求項４の発明は、上記と同様の空洞部の開口部近傍内壁に、少なくとも水平位置と垂直位置との間で回動可能とされた回動支持アームが固定され、この回動支持アームの先端に該アームと平行な軸心の周りに旋回可能に上記管路洗浄用ユニットが取付けられていることを特徴とする。この構成によれば、管路洗浄用ユニットの収納状態では、回動支持アームは水平位置に保持され、管路洗浄用ユニットは空洞部の奥側でこの回動支持アームの先端部に立てられた状態で支持されている。管路洗浄用ユニットを取出す場合は、開閉扉を開き、回動支持アームを垂直位置に回動させる。管路洗浄用ユニットは空洞部の開口部から水平に突出した状態となり、この状態から、更に、管路洗浄ユニットを回動支持アームに平行な軸心の周りに旋回させて、上記同様各種インスツルメントが届く範囲に位置させる。その後は上記と同様に管路洗浄を実施することができる。
【００１２】
請求項５の発明は、上記と同様の空洞部の内壁に、水平摺動可能且つ該空洞部の開口部から出没可能な摺動支持アームを設け、該摺動支持アームの先端に水平旋回可能に上記管路洗浄用ユニットが取付けられていることを特徴とする。この構成によれば、管路洗浄用ユニットの収納状態では、摺動支持アームは空洞部内の退却位置にある。管路洗浄用ユニットを取出す場合は、開閉扉を開き、この摺動支持アームの摺動を伴い管路洗浄ユニットを引出し、その後管路洗浄用ユニットを摺動支持アームの先端部を中心にして旋回させて、上記同様各種インスツルメントが届く範囲に位置させる。その後は上記と同様に管路洗浄を実施することができる。
【００１３】
請求項６の発明は、上記立設胴部に、上記管路洗浄用ユニットを収納するための空洞部が形成され、該空洞部に上記管路洗浄用ユニットが使用位置と収納位置との間で水平旋回可能に設置され、該管路洗浄用ユニットを使用すべく旋回させた時には、上記天板部がインスツルメントを保持可能となるようスピットン胴部の外側に露出し、該管路洗浄用ユニットを収納すべく旋回させた時には、天板部および洗浄タンクが該胴部内に収納されると共に、該管路洗浄用ユニットの外壁部がスピットン立設胴部の外壁の一部となるように構成したことを特徴とする。
【００１４】
請求項７の発明は、空洞部に上記管路洗浄用ユニットが使用位置と収納位置との間で傾動可能に設置され、該管路洗浄用ユニットを使用すべく傾けた時には、上記天板部がインスツルメントを保持可能となるようスピットン立設胴部の外側に露出し、上記管路洗浄用ユニットを収納すべく起立状態にした時には、天板部および洗浄タンクが該胴部内に収納されると共に、該管路洗浄用ユニットの外壁部がスピットン立設胴部の外壁の一部となるように構成したことを特徴とする。
【００１５】
請求項８の発明は、上記いずれかの場合において、上記排水管がフレキシブルチューブからなることを特徴とする。この構成の場合、管路洗浄用ユニットの洗浄タンクとスピットン排水管路とは、フレキシブルチューブで連結されているから、管路洗浄用ユニットを収納位置と洗浄使用位置との間で位置移動させても、何ら問題なく排水機能が維持される。
【００１６】
【発明の実施の形態】
以下に本発明の実施の形態について説明する。図１及び図２（ａ）（ｂ）は第１の実施形態を示すものである。１は歯科用診療台であって、起伏自在な背板シート１１の肩部に、複数の各種インスツルメント２…が繰出し自在に保持されている。図１では、全てのインスツルメント２…を管路洗浄のため後記する管路洗浄ユニット４に繰出保持させた状態を示しているが、該インスツルメント２…は、常時は背板シート１１の肩部に保持されて、術者若しくはナースにより適宜選択繰出し使用されるものである。これらインスツルメント２…にはフレキシブルチューブからなる作用媒体供給（吸引も含む）管路２１…が接続され、この管路２１…は背板シート１１内を経て、診療室の適宜位置に設置された媒体供給・吸引制御システム（不図示）に接続されている。このシステムには各管路を消毒する為各管路に薬液を供給する薬液供給系も含まれる。インスツルメント２…としては、エアタービンハンドピース、マイクロモータハンドピース、スリーウェイシリンジ、バキュームシリンジ、スケーラ等、診療態様に応じた使い分けがなされるよう各種揃えられている。
【００１７】
歯科用診療台１の側部には、うがい用スピットン３が立設されている。このスピットン３は、うがい水を排出するためのベースン３１と、このベースン３１上に設置されたコップ給水栓３２とを含む。このコップ給水栓３２の下にコップ３３が置かれ、治療中患者はこのコップ３３に注がれた水でうがいをしてベースン３１に吐き出すようになされている。ベースン３１は、立設胴部３０上に設置され、立設胴部３０には管路洗浄ユニット４を収納するための空洞部３４が形成されている。この空洞部３４の開口部には上下に開閉する開閉扉３５が取付けられている。ベースン３１には、立設胴部３０内から装置外の排水系（不図示）に通じる排水管路３６が接続されている。
【００１８】
上記空洞部３４には、管路洗浄ユニット４が引出し自在に収納されている。管路洗浄ユニット４は、洗浄タンク４１と、この上面開口部を覆う天板部４２とよりなる。天板部４２には上記各種インスツルメント２…の先側を挿入保持するための複数の保持孔４３…が設けられている。洗浄タンク４１の背面壁部に排水口４４が設けられ、この排水口４４と上記立設胴部３０内のスピットン排水管路３６とが、フレキシブルチューブからなる排水管４５により連結されている。図では、排水口４４は洗浄タンク４１の壁部中間位置に設けられ、洗浄タンク４１に溜まった廃液がオーバフローして排出される例を示しているが、この排水口４４を洗浄タンク４１の底部に設けて廃液を逐次排出するようになすことも可能である。
【００１９】
洗浄タンク４１の前面壁部には取手４６が設けられ、管路洗浄ユニット４の取出しに便なように配慮がなされている。上記空洞部３４内には水平な棚部３７が設けられ、洗浄ユニット４の収納時にはこの棚部３７上に洗浄ユニット４が静置される。洗浄ユニット４を使用の為取り出す際は、開閉扉３５を開け、取手４６を引き洗浄ユニット４を空洞部３４外に引出す。この引出し方向は診療台１側に向けられ、従って引出された状態では洗浄ユニット４は診療台１上の、各インスツルメント２…が届く範囲に位置することになる。
【００２０】
上記構成の歯科診療装置におけるインスツルメント管路の洗浄方法について説明する。このインスツルメントの管路洗浄作業は、診療が終了後或いは診療開始前に実施される。上記の如く管路洗浄ユニット４をスピットン３の立設胴部３０から引出す。次いで、背板シート１１の肩部に保持されたインスツルメント２…を繰出し、天板部４２に設けられた各保持孔４３…にその先側から挿入保持させる。管路を消毒する場合には、前記薬液供給系を作動させて、各インスツルメントの作用媒体供給管路に薬液または水を供給し、その先端の吐出口から洗浄タンク４１内に吐出させる。また、治療時にそれぞれのインスツルメント２…で使用される水などの作用媒体を、その供給管路から供給して先端から洗浄タンク４１に吐出させる。このようにして各管路を洗浄して、洗浄廃液を洗浄タンク４１から排水管４５及び排水管路３６を経て装置外に排出する。一方、バキュームシリンジを挿入保持させる場合は、洗浄タンク４１内に溜まった薬液または水を吸引してその吸引管路を洗浄し、洗浄廃液をバキュームタンク（不図示）を経て装置外に排出する。
【００２１】
洗浄を終了すれば、各インスツルメント２…を元に戻し、洗浄ユニット４を内部を空にした上で空洞部３４内に収める。開閉扉３５を閉めてその作業が終了する。従って、管路洗浄ユニット４を保管する為のスペースを別途確保する必要がなく、またその準備作業は極めて簡易で煩わしさを伴うものではない。しかも、実質的にデッドスペースであるスピットン３の立設胴部３０をその収納箇所としているから、歯科診療台或いは診療室の合理的なスペースの活用に寄与することとなる。
【００２２】
図３（ａ）（ｂ）（ｃ）は、第２の実施形態を示すものである。上記と共通する部分には同一符号を付してその説明を割愛する。スピットン３の立設胴部３０には、上記同様空洞部３４が形成され、この空洞部３４内に多関節のハンガーアーム５が取付けられている。このハンガーアーム５は複数のハンガー部材５１…からなり、これらハンガー部材５１…は互いに水平旋回可能に連結され、その先端に管路洗浄ユニット４が水平旋回可能に取付けられている。
【００２３】
図３（ｂ）は、ハンガーアーム５が折り畳まれ、管路洗浄ユニット４が空洞部３４内に収納された状態を示す。この状態から、図３（ｃ）に示すように開閉扉３５を開け、管路洗浄ユニット４を引出すと、ハンガーアーム５が伸張し、洗浄ユニット４をスピットン３の立設胴部３０外に取出し、更に管路洗浄ユニット４を水平旋回させて診療台上に位置させることができる。従って、この位置は各インスツルメントの届く範囲内であり、上記同様の洗浄作業を実施することができる。尚、洗浄タンク４１にはフレキシブルチューブからなる排水管４５が接続され、この排水管４５は上記同様立設胴部３０内のスピットンの排水管路に接続されているから、洗浄ユニット４が取り出された状態でも、洗浄タンク４１内の廃液の排出機能は維持される。
【００２４】
図４（ａ）（ｂ）（ｃ）は第３の実施形態を示すものである。ここでも上記と共通する部分には同一符号を付してその説明を割愛する。上記同様の空洞部３４の開口部近傍の内壁には、水平位置と垂直位置間で回動可能な回動支持アーム６の基部が固定され、この支持アーム６の先端部にこれと平行な支軸６１を介して管路洗浄ユニット４が取付けられている。この管路洗浄ユニット４は該支軸６１の廻りに旋回可能とされる。
【００２５】
図４（ｂ）の収納状態では、回動支持アーム６が水平位置にあり、管路洗浄ユニット４は空洞部３４の奥側で回動支持アーム６の先端に立てられるように支持されている。この状態から管路洗浄ユニット４を取出す場合は、先ず開閉扉３５を開け、図４（ｃ）に示すように回動支持アーム６をその基部を中心として垂直位置へ回動させる。この状態では、管路洗浄ユニット４は空洞部３４の開口部から水平に突出した状態となる。次いで、管路洗浄ユニット４を、図４（ａ）に示すように二点鎖線位置から実線位置へ支軸６１の廻りに旋回させる。この実線位置は、各インスツルメントが届く位置であり、この位置で上記と同様にインスツルメント管路の洗浄がなされる。
【００２６】
尚、本実施形態では回動支持アーム６は中空パイプとされ、その先端は洗浄タンク４１の排出口４４に接続され、基部はフレキシブルチューブからなる排水管４５に接続されている。そして、この排水管４５は上記と同様に立設胴部３０内のスピットンの排水管路に接続されているから、管路洗浄ユニット４が取り出された状態でも、回動支持アーム６及び排水管４５とにより洗浄タンク４１内の廃液の排出機能は維持される。
【００２７】
図５（ａ）（ｂ）（ｃ）は第４の実施形態を示すものである。ここでも上記と共通する部分には同一符号を付してその説明を割愛する。上記同様の空洞部３４の内壁には、水平なガイドレール７１が固設され、このガイドレール７１に摺動支持アーム（スライドバー）７が水平摺動可能に支持されている。スライドバー７の先端には管路洗浄ユニット４が水平旋回可能に支持されている。
【００２８】
図５（ｂ）は管路洗浄ユニット４が収納された状態を示し、この状態から開閉扉３５を開け、スライドバー７のガイドレール７１に対する摺動を伴い、管路洗浄ユニット４を引出し、その後管路洗浄ユニット４を水平旋回させて図５（ａ）及び（ｃ）に示す洗浄作業位置にセットする。洗浄タンク４１には、スピットンの排水管路に接続されたフレキシブルチューブからなる排水管４５が接続されているから、洗浄タンク４１内の廃液の排出機能は維持されることは上記と同様である。
【００２９】
図６及び図７（ａ）（ｂ）は第５の実施形態を示すものである。ここでも上記と共通する部分には同一符号を付してその説明を割愛する。スピットン立設胴部３０に形成された空洞部３４には、管路洗浄ユニット４がベースン３１の支柱を兼ねた排水管路３６の廻りに水平旋回可能に設置されている。管路洗浄ユニット４が図７（ｂ）の如く収納位置にあるときは、該管路洗浄ユニット４の外壁がスピットン立設胴部３０の外壁の一部をなす。
【００３０】
図７（ａ）のように、管路洗浄ユニット４を排水管路３５の廻りに水平旋回させると、天板部４２が診療台側に露出し、該天板部４２に形成された保持孔４３に各種インスツルメント２…の先側を挿入保持させることができる。従って、この状態で上記と同様に管路の洗浄作業を実施することができる。スピットン３の排水管路３６で管路洗浄ユニット４内を貫通する部分には枝管３８が設けられている。この枝管３８は、洗浄タンク４１内に臨み、洗浄タンク４１内の廃液は該枝管３８から排水管路３６に排出される。該枝管３８には逆止弁４７が取付けられ、ベースン３１からの廃液が洗浄タンク４１に流入することを防止している。尚、この枝管３８及び逆止弁４７によらず、上記と同様のフレキシブルチューブを洗浄タンク４１に接続して、洗浄タンク４１の廃液排出をおこなうようになすことも可能であることは言うまでもない。
【００３１】
図８（ａ）（ｂ）（ｃ）は第６の実施形態を示すものである。ここでも上記と共通する部分には同一符号を付してその説明を割愛する。スピットン立設胴部３０に形成された空洞部３４には、支持板８に支持された管路洗浄ユニット４が傾動自在に収納されている。管路洗浄ユニット４の前面壁部を兼ねる支持板８は、空洞部３４の開口下辺部に枢軸８１を介し回動可能に取付けられ、この支持板８の背面に管路洗浄ユニット４が一体的に固設されている。また、支持板８の前面には取手８２が設けられている。図８（ｂ）の収納状態では、この支持板８がスピットン立設胴部３０の外壁の一部をなす。
【００３２】
上記収納状態から、取手８２を引っ張り支持板８を枢軸８１を支点として傾動させると、図８（ａ）及び（ｃ）に示すように天板部４２が診療台側に露出する。従って、天板部４２に形成された複数の保持孔４３…に、各種インスツルメント２…の先側を挿入保持させれば、上記と同様にインスツルメント管路の洗浄作業を実施することができる。洗浄タンク４１内に溜まった洗浄廃液は、該洗浄タンク４１に接続されたフレキシブルチューブからなる配水管４５を経て装置外に排出される。
【００３３】
図９（ａ）（ｂ）は第７の実施形態を示すもので、管路洗浄ユニット４の端部にフック９が取付けられている。使用時にはスピットン３の空洞部３４内から管路洗浄ユニット４を取り出し、フック９をベースン３１の外縁に引掛け固定する。洗浄タンク４１の下部にはフレキシブルの排水管４５が接続されており、この排水管４５はスピットン３の空洞部３４内のスピットンの排水管路（不図示）に通じ、逐次洗浄タンク４１の排水がなされる。非使用時には、フック９を外し、管路洗浄ユニット４を排水管４５と共に空洞部３４内に収納し、開閉扉３５を閉める。その他の構成は上記各実施形態と同様であるので、共通部分には同一の符号を付し、ここではその説明を割愛する。
【００３４】
【発明の効果】
請求項１の本発明によれば、スピットンの立設胴部から管路洗浄用ユニットを取出し、これに各インスツルメントを保持させるだけで、インスツルメントの管路洗浄作業を実施することができる。洗浄廃液は、洗浄タンクに取付けられた排水管からスピットンの排水管路を経て逐次装置外に排出される。従って、管路洗浄用ユニットを保管するためのスペースを別途確保する必要がなく、また洗浄廃液の排出管路を別途設置することも要しない。特に、本来デッドスペースとなるスピットンの立設胴部を有効利用するものであるから、歯科診療台や診療室の合理的なスペースの活用に寄与することとなる。
【００３５】
請求項２ないし７の発明によれば、上記に加え、いずれも極めて簡単な操作で管路洗浄ユニットを使用位置にセットでき、また収納位置に戻すことができる。従って、洗浄準備作業の煩わしさが解消される。
【００３６】
請求項８の発明では、管路洗浄ユニットを収納位置から使用位置に位置移動させても、問題なく洗浄タンク内の廃液排出機能が維持される。
【図面の簡単な説明】
【図１】  本発明の管路洗浄機能付き歯科診療装置の第１の実施形態の全体斜視図である。
【図２】  （ａ）は同実施形態の別角度からみた部分斜視図、（ｂ）は同実施形態の部分断面図である。
【図３】  （ａ）は第２の実施形態の部分斜視図、（ｂ）は同実施形態の収容状態の部分断面図、（ｃ）は同使用状態の部分断面図である。
【図４】  （ａ）は第３の実施形態の部分斜視図、（ｂ）は同実施形態の収容状態の部分断面図、（ｃ）は同使用状態への移行状態を示す部分断面図である。
【図５】  （ａ）は第４の実施形態の部分斜視図、（ｂ）は同実施形態の収容状態の部分断面図、（ｃ）は同使用状態の部分断面図である。
【図６】  第５の実施形態の全体斜視図である。
【図７】  （ａ）は同実施形態の部分平面図、（ｂ）は同実施形態の部分断面図である。
【図８】  （ａ）は第６の実施形態の部分斜視図、（ｂ）は同実施形態の収容状態の部分断面図、（ｃ）は同使用状態の部分断面図である。
【図９】  （ａ）は第７の実施形態の部分斜視図、（ｂ）は同部分側面図である。
【符号の説明】
１    歯科用診療台
２    インスツルメント
３    スピットン
３０  立設胴部
３４  空洞部
３５  開閉扉
３６  排水管路
４    管路洗浄ユニット
４１  洗浄タンク
４２  天板部
４３  保持孔
４５  排水管
５    ハンガーアーム
６    回動支持アーム
７    摺動支持アーム
【図１】
0004154169.tif 000002
【図２】
0004154169.tif 000003
【図３】
0004154169.tif 000004
【図４】
0004154169.tif 000005
【図５】
0004154169.tif 000006
【図６】
0004154169.tif 000007
【図７】
0004154169.tif 000008
【図８】
0004154169.tif 000009
【図９】
0004154169.tif 000010